(57)【特許請求の範囲】
【請求項１】
半筒状の第１ハーフカバーと、半筒状の第２ハーフカバーとが組み付けられた状態で筒状に構成されて、内部に電線が収容される電線カバーであって、
前記第１ハーフカバーが第１合わせ面を有し、前記第２ハーフカバーが、前記第１ハーフカバーに組み付けられた状態で前記第１合わせ面と当接する第２合わせ面を有し、
前記第１ハーフカバーおよび前記第２ハーフカバーのうちいずれか一方のハーフカバーが、電線規制突起を有しており、
前記電線規制突起が、前記第１合わせ面および前記第２合わせ面のうち前記一方のハーフカバーが有する一方の合わせ面を基準として、前記第１ハーフカバーおよび前記第２ハーフカバーのうち他方のハーフカバーに向かって突出する突起であり、
前記電線カバーが、カバー本体と、前記カバー本体から連なり、前記電線に装着される保護部材を保持する保持部とを有しており、
前記保持部が、前記電線および前記保護部材を囲む周壁と、前記周壁から内側に向かって延び、前記電線が挿通される電線挿通孔を有するとともに前記保護部材に係止する係止壁とを備えており、
前記電線カバーが、前記係止壁から前記カバー本体の内側に向かって突出する張り出し部を備えており、
前記電線規制突起が、前記張り出し部から連なり、前記係止壁に隣接して配置されている、電線カバー。
【請求項２】
前記電線規制突起が、前記電線挿通孔の孔縁よりも外側に位置している、請求項１に記載の電線カバー。
【発明の詳細な説明】
【技術分野】
【０００１】
本明細書によって開示される技術は、電線カバーに関する。
【背景技術】
【０００２】
コネクタから導出される電線の経路を規制するために、コネクタに電線カバーが組み付けられることがある（特許文献１参照）。この電線カバーは、互いに組み付けられることで筒状となる一対のハーフカバーを備えている。
【先行技術文献】
【特許文献】
【０００３】
【特許文献１】特開２０１３−１８７０６０号公報
【発明の概要】
【発明が解決しようとする課題】
【０００４】
上記の構成の電線カバーでは、組み付けの際に、２つのハーフカバーの間に電線を挟み込んでしまうことがある。このような事態が生じると、電線カバーの組み付け作業性が低下する。
【課題を解決するための手段】
【０００５】
本明細書によって開示される電線カバーは、半筒状の第１ハーフカバーと、半筒状の第２ハーフカバーとが組み付けられた状態で筒状に構成されて、内部に電線が収容される電線カバーであって、前記第１ハーフカバーが第１合わせ面を有し、前記第２ハーフカバーが、前記第１ハーフカバーに組み付けられた状態で前記第１合わせ面と当接する第２合わせ面を有し、前記第１ハーフカバーおよび前記第２ハーフカバーのうちいずれか一方のハーフカバーが、電線規制突起を有しており、前記電線規制突起が、前記第１合わせ面および前記第２合わせ面のうち前記一方のハーフカバーが有する一方の合わせ面を基準として、前記第１ハーフカバーおよび前記第２ハーフカバーのうち他方のハーフカバーに向かって突出する突起である。
【０００６】
上記の構成によれば、第１ハーフカバーと第２ハーフカバーとの組み付けの際に、内部に配策された電線が外側にはみ出して第１合わせ面と第２合わせ面との間に入り込もうとした場合であっても、電線規制突起が電線に干渉し、電線が内側に押し戻されるか、外側に押し出される。電線が内側に押し戻された場合には、電線が正規の配策場所に戻ることとなり、電線の挟み込みが回避される。また、電線が外側に押し出された場合には、作業者が電線のはみ出しに容易に気付くことができるため、電線を配策しなおすといった対応をすみやかに取ることができる。これにより、２つのハーフカバーの間に電線が挟み込まれることを抑制でき、組み付けの作業性の低下を回避することができる。
【０００７】
上記の構成において、前記電線カバーが、カバー本体と、前記カバー本体から連なり、前記電線に装着される保護部材を保持する保持部とを有しており、前記保持部が、前記電線および前記保護部材を囲む周壁と、前記周壁から内側に向かって延び、前記電線が挿通される電線挿通孔を有するとともに前記保護部材に係止する係止壁を備えており、前記電線規制突起が、前記係止壁に隣接して配置されていてもよい。
【０００８】
ここで、係止壁が配置されている部分においては、電線の配策経路の幅が他の部分よりも狭くなっており、電線が経路外にはみだしやすい。このような部分に隣接して電線規制突起を配置することにより、効果的に電線の挟み込みを回避することができる。
【０００９】
上記の構成において、前記電線規制突起が、前記電線挿通孔の孔縁よりも外側に位置していてもよい。
【００１０】
このような構成によれば、電線規制突起が、電線が配策される経路の外側に位置しているから、電線規制突起によって電線の配策が邪魔されることを避けることができる。
【発明の効果】
【００１１】
本明細書によって開示される電線カバーによれば、２つのハーフカバーの間に電線が挟み込まれることによる組み付けの作業性の低下を回避することができる。
【図面の簡単な説明】
【００１２】
【図１】実施形態において、コネクタが組み付けられた電線カバーの正面図
【図２】実施形態において、コネクタが組み付けられた電線カバーの平面図
【図３】実施形態において、コネクタが組み付けられた電線カバーの右側面図
【図４】実施形態における電線カバーの正面図
【図５】実施形態における電線カバーの平面図
【図６】実施形態における電線カバーの右側面図
【図７】図６のＡ−Ａ線断面図
【図８】電線規制突起が電線に干渉して電線が電線カバーの内側に戻される様子を示した部分拡大断面図
【図９】実施形態における第１ハーフカバーの正面図
【図１０】実施形態における第１ハーフカバーの背面図
【図１１】実施形態における第１ハーフカバーの平面図
【図１２】実施形態における第１ハーフカバーの底面図
【図１３】実施形態における第１ハーフカバーの右側面図
【図１４】実施形態における第１ハーフカバーの左側面図
【図１５】実施形態における第２ハーフカバーの正面図
【図１６】実施形態における第２ハーフカバーの背面図
【図１７】実施形態における第２ハーフカバーの平面図
【図１８】実施形態における第２ハーフカバーの底面図
【図１９】実施形態における第２ハーフカバーの右側面図
【図２０】実施形態における第２ハーフカバーの左側面図
【発明を実施するための形態】
【００１３】
実施形態を図１〜図２０を参照しつつ説明する。本実施形態の電線カバー１は、合成樹脂製であって、電線Ｗの端末に取り付けられた端子金具（図示せず）の複数を保持するコネクタハウジング８０に組み付けられる部材である。
【００１４】
コネクタハウジング８０は、合成樹脂製であって、図１、図２および図３に示すように、全体として矩形のブロック状をなしている。コネクタハウジング８０の複数の外面のうち一面は、電線Ｗが導出される電線引出面８０Ａである。コネクタハウジング８０は、電線引出面８０Ａに開口する複数の端子収容部８１を有しており、各端子収容部８１の内部には、端子金具が収容されている。各端子金具に接続された各電線Ｗは、電線引出面８０Ａからコネクタハウジング８０の外部に延び、一纏めに束ねられてコルゲートチューブ９０（保護部材に該当）に挿通されている。コネクタハウジング８０は、電線カバー１との係合のための２つのロック突部８２を有している。
【００１５】
コルゲートチューブ９０は、図３に示すように、電線Ｗを内部に収容可能な円筒状の部材であり、外周面に複数の保持溝９１を有している。各保持溝９１は、コルゲートチューブ９０の周方向に沿って延び、コルゲートチューブ９０の外周面を基準として内側に凹む環状の溝である。
【００１６】
［電線カバー１の全体構成］
電線カバー１は、コネクタハウジング８０に対して、電線引出面８０Ａを覆うように組み付けられる部材であって、図４、図５および図６に示すように、全体として、両端が開口したＬ字の筒状をなしている。この電線カバー１は、図６に示すように、カバー本体１０と、このカバー本体１０から連なり、コルゲートチューブ９０を保持する保持筒部１３（保持部に該当）とを有している。
【００１７】
カバー本体１０は、図６に示すように、垂直筒部１１と平行筒部１２とを有している。垂直筒部１１は、図３に示すように、電線カバー１がコネクタハウジング８０に組み付けられた状態で、電線引出面８０Ａに対して垂直な方向に延びる筒状の部分である。平行筒部１２は、垂直筒部１１から連なり、電線引出面８０Ａに対して平行な方向に（垂直筒部１１に対して垂直な方向に）に延びる筒状の部分である。
【００１８】
保持筒部１３は、平行筒部１２から連なり、平行筒部１２の軸方向に沿って延びる筒状の部分である。
【００１９】
電線カバー１は、図４および図５に示すように、半筒状の第１ハーフカバー２０と、同じく半筒状の第２ハーフカバー５０とが、互いに向かい合うように組み付けられることによって、筒状に構成されている。
【００２０】
［第１ハーフカバー２０］
第１ハーフカバー２０は、図９〜図１４に示すように、全体として、Ｌ字形の筒を半割したような形状を有しており、図１４に示すように、第１カバー本体３１と、第１保持半筒部４１と、ロック壁部２１とを有している。
【００２１】
第１カバー本体３１は、Ｌ字形の筒を半割したような形状を有する部分であって、図１３および図１４に示すように、垂直筒部１１を構成する第１垂直半筒部３２と、平行筒部１２を構成する第１平行半筒部３６とを有している。
【００２２】
第１垂直半筒部３２は、全体としてＵ字溝状をなしており、図１３に示すように、第１垂直主壁３３と、第１垂直主壁３３から延びる第１垂直内壁３４と、同じく第１垂直主壁３３から延びる第１垂直外壁３５とを備えている。第１垂直内壁３４と第１垂直外壁３５とは、第１垂直主壁３３に対して垂直に延び、互いに向かい合って配置されている。
【００２３】
第１平行半筒部３６は全体としてＵ字溝状をなしており、図１３に示すように、第１垂直半筒部３２から連なり、第１垂直半筒部３２に対して垂直方向に延びている。この第１平行半筒部３６は、第１垂直主壁３３から連なる第１平行主壁３７と、この第１平行主壁３７から延びる第１平行内壁３８と、同じく第１平行主壁３７から延びる第１平行外壁３９とを備えている。第１平行内壁３８と第１平行外壁３９とは、第１平行主壁３７に対して垂直に延び、互いに向かい合って配置されている。第１平行内壁３８は、第１垂直内壁３４に接続され、第１平行外壁３９は、第１垂直外壁３５に接続されている。
【００２４】
第１垂直内壁３４と第１平行内壁３８とは、第１垂直半筒部３２と第１平行半筒部３６とで構成されるＬ字の内側に配置される壁であり、第１垂直外壁３５と第１平行外壁３９とは、Ｌ字の外側に配置される壁である。
【００２５】
第１保持半筒部４１は、第１平行半筒部３６から連なり、第１平行半筒部３６の延び方向に沿って、垂直筒部１１とは反対側に延びるＵ字溝状の部分である。第１保持半筒部４１は、図１３に示すように、第１平行主壁３７から連なる第１保持主壁４２と、この第１保持主壁４２から延びる第１保持内壁４３と、同じく第１保持主壁４２から延びる第１保持外壁４４とを備えている。第１保持内壁４３と第１保持外壁４４とは、第１保持主壁４２に対して垂直に延び、互いに向かい合って配置されている。これらの第１保持主壁４２、第１保持内壁４３、および第１保持外壁４４は、保持筒部１３において、コルゲートチューブ９０を囲む周壁の一部を構成している。
【００２６】
第１保持半筒部４１は、複数条の保持突起４５を有している。各保持突起４５は、第１保持主壁４２、第１保持内壁４３、および第１保持外壁４４の内壁面によって構成される第１保持半筒部４１の内壁面から第１保持半筒部４１の内側に向かって突出し、保持筒部１３の周方向に沿って延びるすじ状の部分である。
【００２７】
第１保持半筒部４１は、第１平行半筒部３６よりもやや幅広となっており、その一部が、第１平行外壁３９よりも外側に張り出している。
【００２８】
第１保持半筒部４１は、図１３に示すように、第１係止壁４６を有している。第１係止壁４６は、第１保持主壁４２、第１保持内壁４３、および第１保持外壁４４によって構成される第１保持半筒部４１の周壁から第１保持半筒部４１の内側に向かって延びる壁部である。この第１係止壁４６において、第１保持外壁４４から延びている一部分は、第１平行外壁３９と第１保持外壁４４とを繋ぐ壁部となっており、残りの部分は、第１ハーフカバー２０の内部に突出している。第１係止壁４６において第１保持半筒部４１を向く面は、コルゲートチューブ９０の一端に当接する係止面４６Ａとなっている。第１係止壁４６は、第２ハーフカバー５０を向く端面を基準として凹み、半円弧状の内周縁４７Ａによって定義される第１凹部４７を有している（図７を併せて参照）。
【００２９】
ロック壁部２１は、図１３および図１４に示すように、第１垂直主壁３３から連なり、ロック突部８２に係合する壁部である。ロック壁部２１は、ロック突部８２を受け入れるロック孔２２を有している。
【００３０】
第１ハーフカバー２０は、第２ハーフカバー５０に組み付けられたときに、第２ハーフカバー５０と当接する合わせ面２０Ａ、２０Ｂを有している。第１垂直内壁３４、第１平行内壁３８、第１保持内壁４３の突出端面（第１垂直主壁３３、第１平行主壁３７、第１保持主壁４２とは反対側の面）であって、第２ハーフカバー５０と対向する面が、第１内側合わせ面２０Ａ（第１合わせ面に該当）となっている。また、第１垂直外壁３５、第１平行外壁３９、第１保持外壁４４の突出端面（第１垂直主壁３３、第１平行主壁３７、第１保持主壁４２とは反対側の面）であって、第２ハーフカバー５０と対向する面が、第１外側合わせ面２０Ｂとなっている。
【００３１】
第１ハーフカバー２０は、図７および図１３に示すように、第１係止壁４６から張り出す張り出し部２４と、この張り出し部２４から突出する電線規制突起２５とを有している。
【００３２】
張り出し部２４は、第１係止壁４６と第１平行内壁３８とで構成される角部から、第１平行半筒部３６の内側に向かって突出する部分である。
【００３３】
電線規制突起２５は張り出し部２４から連なる突起であって、図７に示すように、第１内側合わせ面２０Ａを基準として第２ハーフカバー５０側に突出している。
【００３４】
第１ハーフカバー２０は、第２ハーフカバー５０との係止のためのロック突起２３を複数有している。各ロック突起２３は、第１垂直外壁３５、第１垂直内壁３４、第１保持外壁４４、および第１保持内壁４３から外側に向かって突出する突起である。
【００３５】
［第２ハーフカバー５０］
第２ハーフカバー５０は、図１５〜図２０に示すように、全体として、Ｌ字形の筒を半割したような形状を有しており、図１９に示すように、第２カバー本体６１と、第２保持半筒部７１と、ロック壁部５１とを有している。
【００３６】
第２カバー本体６１は、Ｌ字形の筒を半割したような形状を有する部分であって、図１９および図２０に示すように、垂直筒部１１を構成する第２垂直半筒部６２と、平行筒部１２を構成する第２平行半筒部６６とを有している。
【００３７】
第２垂直半筒部６２は、全体としてＵ字溝状をなしており、図２０に示すように、第２垂直主壁６３と、第２垂直主壁６３から延びる第２垂直内壁６４と、同じく第２垂直主壁６３から延びる第２垂直外壁６５とを備えている。第２垂直内壁６４と第２垂直外壁６５とは、第２垂直主壁６３に対して垂直に延び、互いに向かい合って配置されている。
【００３８】
第２平行半筒部６６は、全体としてＵ字溝状をなしており、図２０に示すように、第２垂直半筒部６２から連なり、第２垂直半筒部６２に対して垂直方向に延びている。この第２平行半筒部６６は、第２垂直主壁６３から連なる第２平行主壁６７と、この第２平行主壁６７から延びる第２平行内壁６８と、同じく第２平行主壁６７から延びる第２平行外壁６９とを備えている。第２平行内壁６８と第２平行外壁６９とは、第２平行主壁６７に対して垂直に延び、互いに向かい合って配置されている。第２平行内壁６８は、第２垂直内壁６４に接続され、第２平行外壁６９は、第２垂直外壁６５に接続されている。
【００３９】
第２垂直内壁６４と第２平行内壁６８とは、第２垂直半筒部６２と第２平行半筒部６６とで構成されるＬ字の内側に配置される壁であり、第２垂直外壁６５と第２平行外壁６９とは、第２垂直半筒部６２と第２平行半筒部６６とで構成されるＬ字の外側に配置される壁である。
【００４０】
第２保持半筒部７１は、第２平行半筒部６６から連なり、第２平行半筒部６６の延び方向に沿って、垂直筒部１１とは反対側に延びるＵ字溝状の部分である。第２保持半筒部７１は、図２０に示すように、第２平行主壁６７から連なる第２保持主壁７２と、この第２保持主壁７２から延びる第２保持内壁７３と、同じく第２保持主壁７２から延びる第２保持外壁７４とを備えている。第２保持内壁７３と第２保持外壁７４とは、第２保持主壁７２に対して垂直に延び、互いに向かい合って配置されている。これらの第２保持主壁７２、第２保持内壁７３、および第２保持外壁７４は、保持筒部１３においてコルゲートチューブ９０を囲む周壁の一部を構成している。
【００４１】
第２保持半筒部７１は、複数条の保持突起７５を有している。各保持突起７５は、第２保持主壁７２、第２保持内壁７３、および第２保持外壁７４の内側面によって構成される第２保持半筒部７１の内壁面から第２保持半筒部７１の内側に向かって突出するすじ状の部分である。
【００４２】
この第２保持半筒部７１は、第２平行半筒部６６よりもやや幅広となっており、その一部が、第２平行外壁６９よりも外側に張り出している。
【００４３】
第２保持半筒部７１は、図２０に示すように、第２係止壁７６を有している。第２係止壁７６は、第２保持主壁７２、第２保持内壁７３、および第２保持外壁７４によって構成される第２保持半筒部７１の周壁から第２保持半筒部７１の内側に向かって延びる壁部である。この第２係止壁７６において、第２保持外壁７４から延びている一部分は、第２平行外壁６９と第２保持外壁６４とを繋ぐ壁部となっており、残りの部分は、第２ハーフカバー５０の内部に突出している。第２係止壁７６において第２保持半筒部７１を向く面は、コルゲートチューブ９０の一端に当接する係止面７６Ａとなっている。第２係止壁７６は、第１ハーフカバー２０を向く端面を基準として凹み、半円弧状の内周縁７７Ａによって定義される第２凹部７７を有している（図７を併せて参照）。
【００４４】
ロック壁部５１は、図１９および図２０に示すように、第２垂直主壁６３から連なり、ロック突部８２と係合する壁部である。ロック壁部５１は、ロック突部８２を受け入れるロック孔５２を有している。
【００４５】
第２ハーフカバー５０は、第１ハーフカバー２０に組み付けられたときに、第１ハーフカバー２０と当接する合わせ面５０Ａ、５０Ｂを有している。第２垂直内壁６４、第２平行内壁６８、第２保持内壁７３、および第２係止壁７６の突出端面（第２垂直主壁６３、第２平行主壁６７、第２保持主壁７２とは反対側の面）であって、第１ハーフカバー２０と対向する面が、第２内側合わせ面５０Ａ（第２合わせ面に該当）となっている。また、第２垂直外壁６５、第２平行外壁６９、第２保持外壁７４の突出端面（第２垂直主壁６３、第２平行主壁６７、第２保持主壁７２とは反対側の面）であって、第１ハーフカバー２０と対向する面が、第２外側合わせ面５０Ｂとなっている。
【００４６】
第２ハーフカバー５０は、第１ハーフカバー２０のロック突起２３と係合するロック片５３を複数有している。各ロック片５３は、第１垂直外壁３５、第１垂直内壁３４、第１保持外壁４４、および第１保持内壁４３のそれぞれから延びるＵ字状の板片であって、Ｕ字の内側にロック突起２３を受け入れることによって各ロック突起２３と係合する。
【００４７】
［電線カバー１の組み付け］
電線カバー１、コルゲートチューブ９０およびコネクタハウジング８０の組み付け方法について説明する。
【００４８】
最初に、端子金具に接続した電線Ｗをコルゲートチューブ９０内に挿通し、その端子金具をコネクタハウジング８０内に収容する。
【００４９】
次いで、第１ハーフカバー２０を、コルゲートチューブ９０およびコネクタハウジング８０に組み付ける。ロック突部８２をロック壁部２１のロック孔２２に嵌め込むことにより、第１ハーフカバー２０をコネクタハウジング８０に係止させるとともに、各保持突起７５が各保持溝９１に嵌まるよう位置合わせしつつ、コルゲートチューブ９０の一端部を第１ハーフカバー２０に保持させる。このとき、コネクタハウジング８０から導出された複数の電線Ｗを、一纏めに束ねて屈曲させつつ第１ハーフカバー２０の内部に配策する。第１係止壁４６が配置されている部分においては、電線Ｗを第１凹部４７の内部に配策する。
【００５０】
次いで、第２ハーフカバー５０を第１ハーフカバー２０に組み付ける。ロック突部８２をロック壁部５１のロック孔５２に嵌め込むことにより、第２ハーフカバー５０をコネクタハウジング８０に係止させるとともに、各保持突起７５が各保持溝９１に嵌まるよう位置合わせしつつ、コルゲートチューブ９０の一端部を第１ハーフカバー２０との間で挟み付ける。各ロック突起２３に各ロック片５３が係合することにより、第１ハーフカバー２０と第２ハーフカバー５０とが合体状態にロックされる。
【００５１】
組み付けが完了した状態では、図１、図２および図３に示すように、第１ハーフカバー２０と第２ハーフカバー５０とが互いに向かい合った状態で合体して筒状に構成され、内部に電線Ｗが挿通された状態となる。第１ハーフカバー２０と第２ハーフカバー５０とは、第１内側合わせ面２０Ａと第２内側合わせ面５０Ａとが突き当たり、第１外側合わせ面２０Ｂと第２外側合わせ面５０Ｂとが突き当たった状態で合体している。
【００５２】
第１内側合わせ面２０Ａと第２内側合わせ面５０Ａとの突き合わせ位置は、図７に示すように、第１ハーフカバー２０と第２ハーフカバー５０との中心位置（第１平行主壁３７と第２平行主壁６７との中央位置）にある。第１外側合わせ面２０Ｂと第２外側合わせ面５０Ｂとは、一部に段差を有しており、第１外側合わせ面２０Ｂと第２外側合わせ面５０Ｂとの突き合わせ位置は、垂直筒部１１において平行筒部１２に近接した一部分、平行筒部１２、および保持筒部１３において平行筒部１２に近接する一部分においては、図７に示すように、第１ハーフカバー２０と第２ハーフカバー５０との中心位置よりも第２ハーフカバー５０側に寄った位置（第１平行主壁３７と第２平行主壁６７との中央位置よりも第２平行主壁６７に近接した位置）にあり、その他の部分においては、第１ハーフカバー２０と第２ハーフカバー５０との中心位置（第１平行主壁３７と第２平行主壁６７との中央位置）にある。
【００５３】
コルゲートチューブ９０は保持筒部１３の内部に保持されている。第１係止壁４６と第２係止壁７６とは組み合わせられて、図７に示すように、電線挿通孔１５を有する係止壁１４を構成している。電線挿通孔１５は、第１凹部４７と第２凹部７７とで構成される孔であり、内周縁４７Ａ、７７Ａで構成される円形の孔縁１５Ａを有している。電線挿通孔１５の内部には電線Ｗが挿通されている。電線挿通孔１５の内径はコルゲートチューブ９０の外径よりも小さくなっており、コルゲートチューブ９０の一端が係止面４６Ａ、７６Ａに突き当たることにより、コルゲートチューブ９０がカバー本体１０の内部に入り込むことが規制されている。
【００５４】
電線規制突起２５は、図７に示すように、第２ハーフカバー５０の内部に入り込んでおり、第２平行半筒部６６の内部に、第２係止壁７６に隣接して収容されている。
【００５５】
ここで、電線カバー１の組み付けの際に、第１ハーフカバー２０と第２ハーフカバー５０との間に電線Ｗを挟み込んでしまうことが懸念される。しかし、本実施形態では、第１ハーフカバー２０が電線規制突起２５を有しているから、第１ハーフカバー２０の内部に配策された電線Ｗが外側にはみ出して第１内側合わせ面２０Ａと第２内側合わせ面５０Ａとの間に入り込もうとした場合であっても、電線規制突起２５が電線Ｗに干渉し、電線Ｗが第１ハーフカバー２０の内側に押し戻されるか、外側に押し出される（図８参照）。電線Ｗが内側に押し戻された場合には、電線Ｗが正規の配策場所に戻ることとなり、電線Ｗの挟み込みが回避される。また、電線Ｗが外側に押し出された場合には、作業者が電線Ｗのはみ出しに気付くことができるため、電線Ｗを配策しなおすといった対応をすみやかに取ることができる。
【００５６】
特に、係止壁１４が配置されている部分においては、電線Ｗの配策経路の幅が他の部分よりも狭くなっており、電線Ｗが経路外にはみだしやすい。本実施形態では、第１係止壁４６と第１平行内壁３８とで構成される角部から突出する張り出し部２４から電線規制突起２５が突出している。すなわち、電線規制突起２５が係止壁１４に隣接して配置されている。このように、電線Ｗが経路外にはみだしやすい部分に隣接して電線規制突起２５を配置することにより、効果的に電線Ｗの挟み込みを回避することができる。
【００５７】
また、電線規制突起２５は、図７に示すように、電線挿通孔１５の孔縁１５Ａよりも外側（第２平行内壁６８に近接した位置）に配置されている。これにより、電線規制突起２５が、電線Ｗが配策される経路の外側に位置していることとなるから、電線規制突起２５によって電線Ｗの配策が邪魔されることを避けることができる。
【００５８】
［作用効果］
以上のように本実施形態によれば、電線カバー１は、半筒状の第１ハーフカバー２０と、この第１ハーフカバー２０に組み付けられる半筒状の第２ハーフカバー５０とが組み付けられた状態で筒状に構成されて、内部に電線Ｗを収容する部材であって、第１ハーフカバー２０が第１内側合わせ面２０Ａを有し、第２ハーフカバー５０が、第１ハーフカバー２０に組み付けられた状態で第１内側合わせ面２０Ａと当接する第２内側合わせ面５０Ａを有する。第１ハーフカバー２０が、電線規制突起２５を有しており、この電線規制突起２５が、第１内側合わせ面２０Ａを基準として第２ハーフカバー５０に向かって突出する突起である。
【００５９】
上記の構成によれば、第１ハーフカバー２０と第２ハーフカバー５０との組み付けの際に、内部に配策された電線Ｗが外側にはみ出して第１内側合わせ面２０Ａと第２内側合わせ面５０Ａとの間に入り込もうとした場合であっても、電線規制突起２５が電線Ｗに干渉して電線Ｗが内側に押し戻されるか、外側に押し出される。電線Ｗが内側に押し戻された場合には、電線Ｗが正規の配策場所に戻ることとなり、電線Ｗの挟み込みが回避される。また、電線Ｗが外側に押し出された場合には、作業者が電線カバー１の外部から視認して電線Ｗのはみ出しに容易に気付くことができるため、電線Ｗを配策しなおしてから組み付けをやり直すといった対応を、すみやかに取ることができる。これにより、第１ハーフカバー２０と第２ハーフカバー５０との間に電線Ｗが挟み込まれることを抑制でき、組み付けの作業性の低下を回避することができる。
【００６０】
また、電線カバー１は、カバー本体１０と、このカバー本体１０から連なる保持筒部１３とを有している。保持筒部１３は、電線Ｗに装着されるコルゲートチューブ９０を保持する部分であって、電線Ｗとコルゲートチューブ９０とを囲む周壁（第１保持主壁４２、第１保持内壁４３、第１保持外壁４４、第２保持主壁７２、第２保持内壁７３、および第２保持外壁７４）と、この周壁から内側に向かって延び、電線挿通孔１５を有する係止壁１４（第１係止壁４６および第２係止壁７６）とを備えている。そして、電線規制突起２５が係止壁１４に隣接して配置されている。
【００６１】
ここで、係止壁１４が配置されている部分においては、電線Ｗの配策経路の幅が他の部分よりも狭くなっており、電線Ｗが経路外にはみだしやすい。このような部分に隣接して電線規制突起２５を配置することにより、効果的に電線Ｗの挟み込みを回避することができる。
【００６２】
さらに、電線規制突起２５は、電線挿通孔１５の孔縁１５Ａよりも外側に配置されている。これにより、電線規制突起２５が、電線Ｗが配策される経路の外側に位置していることとなるから、電線規制突起２５によって電線Ｗの配策が邪魔されることを避けることができる。
【００６３】
＜他の実施形態＞
本明細書によって開示される技術は上記記述及び図面によって説明した実施形態に限定されるものではなく、例えば次のような種々の態様も含まれる。
（１）上記実施形態では、第１ハーフカバー２０と第２ハーフカバー５０とが別体であったが、第１ハーフカバーと第２ハーフカバーとがヒンジで繋がれていても構わない。
【００６４】
（２）上記実施形態では、電線カバー１がＬ字の筒状であったが、電線カバーが直筒状であっても構わない。
【００６５】
（３）上記実施形態では、電線規制突起２５が係止壁１４に隣接して配置されていたが、電線規制突起は、係止壁から離れて配置されていても構わない。
【００６６】
（４）上記実施形態では、第１ハーフカバー２０が１つの電線規制突起を有していたが、第２ハーフカバーが１つの電線規制突起を有していてもよく、第１ハーフカバーおよび第２ハーフカバーのそれぞれが１つまたは複数の電線規制突起を有していても構わない。
【符号の説明】
【００６７】
１…電線カバー
１０…カバー本体
１３…保持筒部（保持部）
１４…係止壁
１５…電線挿通孔
１５Ａ…孔縁
２０…第１ハーフカバー
２０Ａ…第１内側合わせ面（第１合わせ面）
２４…電線規制突起
４２…第１保持主壁（周壁）
４３…第１保持内壁（周壁）
４４…第１保持外壁（周壁）
５０…第２ハーフカバー
５０Ａ…第２内側合わせ面（第２合わせ面）
９０…コルゲートチューブ（保護部材）
７２…第２保持主壁（周壁）
７３…第２保持内壁（周壁）
７４…第２保持外壁（周壁）
Ｗ…電線
【図１】
0006578977.tif 000002
【図２】
0006578977.tif 000003
【図３】
0006578977.tif 000004
【図４】
0006578977.tif 000005
【図５】
0006578977.tif 000006
【図６】
0006578977.tif 000007
【図７】
0006578977.tif 000008
【図８】
0006578977.tif 000009
【図９】
0006578977.tif 000010
【図１０】
0006578977.tif 000011
【図１１】
0006578977.tif 000012
【図１２】
0006578977.tif 000013
【図１３】
0006578977.tif 000014
【図１４】
0006578977.tif 000015
【図１５】
0006578977.tif 000016
【図１６】
0006578977.tif 000017
【図１７】
0006578977.tif 000018
【図１８】
0006578977.tif 000019
【図１９】
0006578977.tif 000020
【図２０】
0006578977.tif 000021